(57)【要約】【課題】  無線データ通信システムの無線中継機が不応答、故障、あるいは、ガス漏れ等の緊急事態となった場合に、無線中継機を新しい無線中継機に交換して、故障等になった無線中継機に対応した各端末装置が、新しい無線中継機を介して容易にセンター側装置と通信できるようにする。【解決手段】  複数の無線中継機が互いに相手の無線中継機の登録データを記憶する記憶手段を備え、一方の無線中継機が故障等で応答しない場合、故障等した無線中継機に登録されていた各端末装置のデータを、他方の無線中継機の記憶手段に記憶することにより、他方の無線中継機を相手局登録して、センター側装置と端末装置との間で他方の無線中継機を介して容易に双方向の通信が可能となる無線データ通信システム、たとえば、無線テレメータシステムを提供する。【選択図】        図３
2006303943.tif 000002
【特許請求の範囲】
【請求項１】
センター側装置と、これに通信回線を介して接続された端末側網制御装置と、該端末側網制御装置に接続された無線親機と、前記無線親機との間でデータ伝送を行う複数の無線子機と、前記無線親機と前記無線子機との間に介在する複数の無線中継機とから構成され、前記無線子機は、前記無線親機と直接無線通信を行うか、あるいは前記複数の無線中継機の一つを介して前記無線親機と無線通信を行う無線データ通信システムであって、前記複数の無線中継機の内の一方の無線中継機が、前記複数の無線中継機の内の他方の無線中継機に登録されている複数の無線子機のデータを記憶する手段を備えていることを特徴とする無線データ通信システム。
【請求項２】
前記複数の無線中継機の内の一方の無線中継機における、前記複数の無線中継機の内の他方の無線中継機に登録されている無線子機のデータの記憶は、前記無線中継機同士の相手局登録によって行うことを特徴とする請求項１記載の無線データ通信システム。
【請求項３】
前記無線親機は、該無線親機に前記複数の無線中継機の内の一方の無線中継機が相手局登録された場合、前記複数の無線中継機の内の一方の無線中継機が記憶している、前記複数の無線中継機の内の他方の無線中継機の使用者識別情報を関連付けて記憶することを特徴とする請求項１または２記載の無線データ通信システム。
【請求項４】
前記無線親機は、前記複数の無線中継機の内の他方の無線中継機から応答がない場合、センター側装置に対して前記複数の無線中継機の内の他方の無線中継機に登録されているデータを記憶している、前記複数の無線中継機の内の一方の無線中継機の使用者識別情報を通知することを特徴とする請求項１〜３記載の無線データ通信システム。
【請求項５】
前記複数の無線中継機の内の一つから応答がない場合、無線中継機の変更はセンター側装置から無線親機に対する、無線中継機変更指示により行う無線中継機変更手段を有することを特徴とする請求項１〜４記載の無線データ通信システム。
【請求項６】
センター側装置から無線中継機変更指示を受けた無線親機は、記憶部内の新たに使用する無線中継機を検索し、該当する無線中継機に対して、無線中継機変更指示を行うことを特徴とする請求項１〜５記載の無線データ通信システム。
【請求項７】
前記無線親機から無線中継機変更指示を受けた前記複数の無線中継機の内の一方の無線中継機は、前記無線親機との通信終了後、前記複数の無線中継機の内の一方の無線中継機が記憶している前記複数の無線中継機の内の他方の無線中継機に登録されている複数の無線子機のすべてに対して、順次無線中継機変更指示を行うことを特徴とする請求項１〜６記載の無線データ通信システム。
【請求項８】
前記複数の無線中継機の内の一方の無線中継機から無線中継機変更指示を受けた無線子機は、以降の通信を指示された無線中継機で行うことを特徴とする請求項１〜７記載の無線データ通信システム。
【請求項９】
既に前記複数の無線中継機の内の他方の無線中継機に登録されている無線子機のデータを記憶している前記複数の無線中継機の内の一方の無線中継機が、無線子機の登録を全くされていない前記複数の無線中継機の内の他の無線中継機と、相手局登録された場合、前記複数の無線中継機の内の一方の無線中継機は前記複数の無線中継機の内の他の無線中継機に対して、前記複数の無線中継機の内の一方の無線中継機に登録されている無線子機のデータと、前記複数の無線中継機の内の他方の無線中継機に登録されている無線子機のデータを送信するとともに、記憶している前記複数の無線中継機の内の他方の無線中継機の無線識別符号と使用者識別情報を、前記複数の無線中継機の内の他の無線中継機の無線識別符号と使用者識別情報に変更し、前記複数の無線中継機の内の他の無線中継機は、前記複数の無線中継機の内の一方の無線中継機が記憶している、前記複数の無線中継機の内の他方の無線中継機に登録されている無線子機のデータを、前記複数の無線中継機の内の他の無線中継機に登録されている無線子機として記憶するとともに、前記複数の無線中継機の内の一方の無線中継機に登録されている無線子機を、無線中継機に登録されている無線子機のデータとして記憶することを特徴とする請求項１または２記載の無線データ通信システム。
【請求項１０】
前記無線親機から無線中継機変更指示により、前記複数の無線中継機の内の他方の無線中継機に登録されている無線子機と、無線通信を行っている前記複数の無線中継機の内の一方の無線中継機が、無線子機の登録を全くされていない前記複数の無線中継機の内の他の無線中継機と相手局登録された場合、前記複数の無線中継機の内の一方の無線中継機は複数の無線中継機の内の他方の無線中継機に登録されている複数の無線子機のすべてに対して、相手局を前記複数の無線中継機の内の他の無線中継機に変更するために、順次無線中継機変更指示を行うことを特徴とする請求項１〜９記載の無線データ通信システム。
【請求項１１】
前記無線中継機は、前記無線子機に対する、相手局である前記無線中継機を変更するごとに、前記無線親機に対して変更完了通知を行うことを特徴とする請求項１〜１０記載の無線データ通信システム。
【請求項１２】
前記無線データ通信システムは、ガスメータ、水道メータ、センサ等の端末機器が接続されている無線子機との間で、データ伝送を無線によって行う無線テレメータシステムであることを特徴とする請求項１〜１１記載の無線データ通信システム。
【請求項１３】
前記無線データ通信システムは、ガスメータ、水道メータ、センサ等の端末機器が接続されている無線子機の異常事態を通報するセキュリティシステムであることを特徴とする請求項１〜１１記載の無線データ通信システム。
【発明の詳細な説明】
【技術分野】
【０００１】
本発明は、センター側装置に公衆電話回線等の通信回線を介して接続された端末側網制御装置と、ガスメータ、水道メータ、センサ等の端末機器との間でのデータ伝送を無線によって行う無線テレメータシステム、あるいは、端末装置からセンター側装置に異常事態を通報するセキュリティシステム等の無線データ通信システムに関する。
【背景技術】
【０００２】
例えば、無線テレメータシステムは、センター側網制御装置と通信回線を介して接続された端末側網制御装置（以下、Ｔ−ＮＣＵと略す）と、Ｔ−ＮＣＵに接続された無線親機（以下、親機と略す）と、親機と無線回線を介して通信を行う複数の無線子機（以下、子機と略す）と、親機と子機間で直接電波が到達しない場合に中継を行う無線中継機（以下、中継機と略す）と、親機・中継機または子機に接続されたガス、水道、電気等のメータ、センサ等の端末機器によって構成される。なお、親機・中継機および子機を総称して無線機器とする。
【０００３】
上述のような無線テレメータシステムでは、複数の中継機各々に複数の子機が相手局登録されており、各中継機にどの子機が登録されているかという情報は、工事設計書等で管理されており、設置工事時に前記工事設計書に従って、親機と中継機または子機および各中継機と子機の相手局登録を行っている。この相手局登録によって、無線機器は、自局が通信可能である相手局を特定している。
【０００４】
また、上記のような無線テレメータシステムにおいて、電波の状況が悪化したなどの理由で、ある中継機に登録している子機が応答できなくなった場合、あらかじめ設定されている別の中継機を経由して子機と通信する方式が記述されている（特許文献１参照。たとえば、請求項５記載の発明、段落００１１欄や００２８欄の記載を参照）。
【特許文献１】特開２００１−１３６２９４公報
【発明の開示】
【発明が解決しようとする課題】
【０００５】
上述のような従来の無線システムにおいては、電波の状況が悪化したなどの理由で、ある中継機に登録している子機が応答できなくなった場合、親局からの下り方向側の通信については、予め決められた他の中継通信経路で他の中継局または子局に対して再送通信を行うことができるが、テレメータのデータやセキュリティ情報等を送信するために子機側から発呼することはできなかった。
子機側からの発呼を可能とするには、すべての中継機および子機に、あらかじめ通信ができない場合に発呼する別の相手局を設定する必要があり、この場合、中継機および子機の台数が多くなるほど、設定作業が複雑で時間を要するものになっていた。
また、中継機が故障した場合、故障した中継機を新しい中継機に交換し、故障した中継機に登録されていた子機を探しだし、新しい中継機と相手局登録を行う必要があり、その場合に、すべての無線機に対して、通信ができない場合に発呼する別の相手局の設定をやり直す必要があった。
【０００６】
本発明は、上記の問題点に鑑みてなされたものであり、中継機が不応答の場合、センターでは不応答の中継機のデータを記憶している他の中継機の有無を容易に知ることができ、これによって、中継機が故障していた場合、中継機を交換するまでの間、他の中継機を使用してセンターから子機を呼び出したり、ガス漏れ等の緊急事態が発生した場合に、子機からセンターに通報することができる無線データ通信システムを提供することを目的とする。
また、中継機交換時には、新しい中継機と故障している中継機のデータを記憶している他の中継機の間で、相手局登録を行うことにより、容易に故障した中継機に登録されていた子機のデータを新しい中継機に登録することができる無線データ通信システムを提供することを目的とする。
さらに、上記中継機同士の相手局登録により、不応答の中継機のデータを記憶している他の中継機が、不応答の中継機に登録されている子機に対して、新しい中継機の識別符号等を送信するので、新しい中継機と子機の相手局登録作業を行う必要が無く、中継機の交換に要する時間を大幅に短縮できる無線データ通信システムを提供することを目的とする。
【課題を解決するための手段】
【０００７】
本発明の無線データ通信システムは、上記課題を解決するため、複数の無線中継機同士で相手局登録を行う場合に、相手の無線中継機に登録されている子機のデータを記憶する手段を備えている。
また、無線中継機からの応答がない場合、無線中継機の変更指示を行う無線中継機変更手段を備えている。この無線中継機変更手段により、センター側装置が、ある中継機に登録している子機と通信できない場合、無線中継機を変更して子機と通信することができる。
また、無線中継機が故障していた場合、故障していた無線中継機と相手局登録されていた無線中継機と新しい無線中継機を相手局登録するだけで、簡単に置き換えることができる手段を有する。この手段により、新しい無線中継機と故障していた無線中継機に登録されていた子機の相手局登録作業が不要となり、復旧作業が効率的に行える。
【発明の効果】
【０００８】
以上の説明で明らかな様に、本発明の無線データ通信システムにより、中継機が不応答の場合、センターでは不応答の中継機のデータを記憶している他の中継機の有無を容易に知ることができる。これによって、中継機が故障していた場合、中継機を交換するまでの間、他の中継機を使用してセンターから子機を呼び出したり、ガス漏れ等の緊急事態が発生した場合に、子機からセンターに通報することができる。
【０００９】
また中継機交換時には、新しい中継機と故障している中継機のデータを記憶している他の中継機の間で、相手局登録を行うことにより、容易に故障した中継機に登録されていた子機のデータを新しい中継機に登録することができる。
さらに上記中継機同士の相手局登録により、不応答の中継機のデータを記憶している他の中継機が、不応答の中継機に登録されている子機に対して、新しい中継機の識別符号等を送信するので、新しい中継機と子機の相手局登録作業を行う必要が無く、中継機の交換に要する時間を大幅に短縮できる。
【発明を実施するための最良の形態】
【００１０】
以下、本発明の実施の形態を、図面を用いて詳細に説明する。
図１は本発明における無線データ通信システムの一実施例である無線テレメータシステムの実施の形態を示すシステム構成図で、ホストコンピュータ１とセンター側網制御装置２とからなるセンター側装置と電話回線を介して接続されたＴ−ＮＣＵ３と、Ｔ−ＮＣＵ３に接続された親機４と、親機４に接続されたメータ５ａと、親機４と無線回線を介して通信を行う中継機６ａ・６ｂおよび子機７ａと、中継機と無線回線を介して通信を行う子機７ｂ〜７ｄと、中継機６および子機７に接続されたメータ５ｂ〜５ｇによって構成される。
【００１１】
図２は本発明における親機および子機の構成を示すブロック図で、アンテナ８と、アンテナ８に接続され相手局と無線通信を行うための無線通信ユニット９と、親機４または子機７の動作を制御する制御部１０と、親機４の場合はＴ−ＮＣＵ３と接続するため、およびメータと接続するための、子機７の場合はメータと接続するためのメータインターフェース部１１と、自己の無線局の識別符号および使用者識別情報（以下、ユーザＩＤという）を記憶している自局ＩＤ記憶部１２と相手の無線局の識別符号およびユーザＩＤ等を記憶している相手局ＩＤ記憶部１３と、相手局登録時および相手局種別表示に使用するスイッチ部１４と、相手局登録動作の結果および相手局種別表示等を示す表示部１５によって構成される。
【００１２】
図３は本発明における中継機の構成を示すブロック図で、アンテナ８と、アンテナ８に接続され相手局と無線通信を行うための無線通信ユニット９と、中継機６の動作を制御する制御部１０と、メータと接続するためのメータインターフェース部１１と、自己の無線局の識別符号および使用者識別情報（以下、ユーザＩＤという）を記憶している自局ＩＤ記憶部１２と相手の無線局の識別符号およびユーザＩＤ等を記憶している相手局ＩＤ記憶部１３と、相手局登録時および相手局種別表示に使用するスイッチ部１４と、相手局登録動作の結果および相手局種別表示等を示す表示部１５と、中継機６同士の相手局登録が行われた場合に、相手の中継機６の登録データを記憶する他中継機データ記憶部１６によって構成される。
【００１３】
図４は本発明における親機４、中継機６および子機７の自局ＩＤ記憶部１２の構成を示すブロック図で、自己の無線局の識別符号を記憶する１２桁の識別符号記憶部１７と、自己のユーザＩＤを記憶するユーザＩＤ記憶部１８によって構成される。
【００１４】
図５は本発明における自局ＩＤ記憶部１２の内のユーザＩＤ記憶部１８の構成を示すブロック図で、１５桁のユーザＩＤ部１９と、１桁の中継機フラグ部２０によって構成される。中継機フラグ部２０は、中継機６に登録されている子機７の場合１となり、その他の場合０となる。
【００１５】
図６は本発明における親機４の相手局ＩＤ記憶部１３の構成を示すブロック図で、相手の無線局の識別符号を記憶する識別符号記憶部２１と、相手のユーザＩＤを記憶するユーザＩＤ記憶部２２、および相手の無線局が子機７の場合、子機７が登録されている中継機６のユーザＩＤを、相手の無線局が中継機６の場合、中継機６が記憶している他中継機のユーザＩＤを記憶する中継機ユーザＩＤ記憶部２３によって構成される。
【００１６】
図７は本発明における中継機６のユーザＩＤ記憶部１３の構成を示すブロック図で、テーブルＮｏ．２４と相手の無線局となる、親機４または子機７の識別符号を記憶する識別符号記憶部２５と、対応するユーザＩＤを記憶するユーザＩＤ記憶部２６によって構成される。Ａ・Ｂ・Ｃ・・・は登録可能である子機の台数によって決まり、例えば、１６台の子機を登録可能である親機の場合、テーブルＮｏ．２４は００１から０１６までとなり、識別符号記憶部２５およびユーザＩＤ記憶部２６はＡ〜Ｐまで存在する。
【００１７】
図８は本発明における中継機の他中継機データ記憶部１６の構成を示すブロック図で、テーブルＮｏ．２７と相手の無線局となる、他中継機または子機の識別符号を記憶する識別符号記憶部２８と、対応するユーザＩＤを記憶するユーザＩＤ記憶部２９によって構成される。Ａ・Ｂ・Ｃ・・・は他中継機に登録されている子機の台数によって決まり、例えば、１６台の子機を登録可能である親機の場合、テーブルＮｏ．２４は００１から０１６までとなり、識別符号記憶部２８およびユーザＩＤ記憶部２９はＡ〜Ｐまで存在する。
【００１８】
図９は本発明における子機７の相手局ＩＤ記憶部１３の構成を示すブロック図で、相手の無線局の識別符号を記憶する識別符号記憶部３０と、相手のユーザＩＤを記憶するユーザＩＤ記憶部３１によって構成される。
【００１９】
図１０は本発明の一実施例である無線テレメータシステムに使用する電文例で、電文３２は相手局登録を行う場合に子機から親機または中継機に送信する相手局登録電文で、１２桁の自局無線識別符号と１６桁の自局ユーザＩＤで構成される。電文３３は前記相手局登録電文３２に応じて親機４または中継機から送信する相手局登録応答電文で、１２桁の自局無線識別符号と１６桁の自局ユーザＩＤ、および１２桁の相手局無線識別符号と１６桁の相手局ユーザＩＤで構成される。電文３４は相手局登録を行う場合に、中継機から親機または他の中継機に対して送信する相手局登録電文で、１２桁の自局無線識別符号と１６桁の自局ユーザＩＤ、および１６桁の他中継機ＩＤで構成される。中継機からの電文３４に対する、親機および他の中継機の応答電文は、前記電文３３が使用される。電文３５は親機からの相手局登録応答電文３３を受信した場合に、中継機から親機または他の中継機に対して送信する登録データ送信電文で、登録されているＮ台の子機すべての、１２桁の無線識別符号と１６桁のユーザＩＤで構成される。また、相手局登録が中継機同士であった場合、登録データ送信電文３５を受信した中継機は、相手の中継機に対して同様に、
登録データ送信電文３５を送信する。電文３６は中継機が応答しない場合に親機からセンターに送信する応答電文で、４桁のエラーコードと、応答しない中継機の登録データを記憶している中継機の１６桁のユーザＩＤで構成される。電文３７は中継機を変更する場合にセンターから親機に送信する中継機変更電文で４桁の変更コマンドと、変更を行う（応答しない）中継機の１６桁のユーザＩＤで構成される。電文３８は前記電文３７を受信した親機が、応答しない中継機の登録データを記憶している中継機に対して送信する、中継機変更電文で４桁の変更コマンドで構成される。電文３９は前記電文３８を受信した中継機が、記憶している他中継機に登録されている子機に対して送信する、中継機変更電文で４桁の変更コマンドと、変更後の中継機の、１２桁の無線識別符号と１６桁のユーザＩＤで構成される。電文４０は子機に対する中継機変更が完了するごとに中継機から親機に送信する中継機変更完了通知電文で、４桁の変更完了コードと、中継機変更を完了した子機７の１２桁の無線識別符号と１６桁のユーザＩＤ、および変更された中継機の１２桁の無線識別符号と１６桁のユーザＩＤで構成される。
【００２０】
図１１は本発明の一実施例である無線テレメータシステムの中継機における、相手局登録スイッチ（以下、登録スイッチと略す）が押下された場合の、動作を示すフローチャートである。
図１２は本発明の一実施例である無線テレメータシステムの親機における、中継機が不応答であった場合の、動作を示すフローチャートである。
図１３は本発明の一実施例である無線テレメータシステムの親機における、中継機変更指示があった場合の、動作を示すフローチャートである。
図１４は本発明の一実施例である無線テレメータシステムの中継機における、中継機変更指示があった場合の、動作を示すフローチャートである。
【００２１】
図１において、子機７ａを親機４に、子機７ｂ・７ｃを中継機６ａに、子機７ｄを中継機６ｂに登録されているものとする。
登録は、例えば子機７ａを親機４に登録する場合、工事担当者は子機７ａを親機４に登録するために、子機７ａのスイッチ部１４にある登録スイッチを押下する。この操作により、子機７ａから親機４に対して相手局登録電文３２が送信される。親機４は子機７ａからの相手局登録電文３２を受信すると、受信した無線識別符号とユーザＩＤを相手局ＩＤ記憶部１３に記憶し、子機７ａに対して相手局登録応答電文３３を送信する。同様に子機７ａは親機４からの相手局登録電文３３を受信すると、受信した無線識別符号とユーザＩＤを相手局ＩＤ記憶部１３に記憶する。
【００２２】
本発明の一実施例である無線テレメータシステムの中継機のスイッチ部１４の登録スイッチが押下された場合の動作を図１１のフローチャートに沿って説明する。
中継機６の制御部１０は登録スイッチが押下された場合、相手局登録電文３４を送信する。これに対する応答電文３３の自局ユーザＩＤ内の中継機フラグ部を参照し、相手局が親機４であるか他の中継機であるか判断する（ステップＳ１、以下”ステップ”は省略す
る）。中継機フラグ部が０の場合、相手局が親機であるため通常の相手局登録となり、受信したデータを相手局ＩＤ記憶部１３の親機識別符号記憶部２５と親機ユーザＩＤ記憶部２６に記憶した後、相手局ＩＤ記憶部１３に登録されているすべての子機のデータを親機４に対して送信する（Ｓ２）。中継機フラグ部が１の場合、相手局が他の中継機なので、受信したデータを他中継機データ記憶部１６の中継機識別符号記憶部２８と中継機ユーザＩＤ記憶部２９に記憶した後、相手局ＩＤ記憶部１３に登録されているすべての子機のデータを相手の中継機に対して送信した後、相手の中継機から送信された、相手の中継機に登録されている子機すべてのデータを受信する（Ｓ３）。中継機６の制御部１０は前記受信したデータの子機のデータの有無を確認し（Ｓ４）、子機のデータが存在する場合、前記受信したデータを他中継機データ記憶部１６に記憶する（Ｓ５）。子機のデータが存在しない場合、他中継機データ記憶部１６の中継機識別符号記憶部２８と中継機ユーザＩＤ記憶部２９のデータを書き換え（Ｓ６）、他中継機データ記憶部１６に記憶していた他中継機の登録子機のデータを送信する（Ｓ７）。
【００２３】
登録スイッチが押下された場合、本発明の中継機は上記のように動作するので、相手局が登録子機のデータを持つ中継機の場合、相手中継機の登録子機データを記憶し、相手中継機が故障等で通信できなくなった場合、変更指示により、相手中継機に登録されている子機との通信を行うことができる。また、
相手局が登録子機のデータを持たない中継機の場合、記憶している他中継機の登録子機のデータを、相手中継機に送信するので、再度新しい中継機と故障した中継機に登録されていた子機の、相手局登録作業無しに、故障した中継機を新しい物に変更することができる。
【００２４】
以下、図１の中継機６ａが、故障が原因で応答しない場合の、本発明の無線テレメータシステムの動作を図１２〜図１４のフローチャートに沿って説明する。
親機４は子機７ｂと通信を行う場合、子機７ｂが登録されている中継機６ａを呼び出す。親機４の制御部１０は、中継機６ａからの応答を監視し（Ｓ８）、中継機６ａから応答があった場合、中継機６ａとの通信を開始し、中継機６ａを経由して子機７ｂと通信を行う（Ｓ９）。中継機６ａから応答が無かった場合、相手局ＩＤ記憶部１３の中継機ユーザＩＤ記憶部２３を参照し、中継機６ａの登録データを記憶している他の中継機が存在するか調べる（Ｓ１０）。中継機６ａの登録データを記憶している他の中継機が存在しない場合、
親機４はセンターに対して、中継機６ａが不応答であることを通知し通信を終了する。中継機６ａの登録データを記憶している他の中継機ｂが存在する場合、親機４はセンターに対して、電文３６により他の中継機６ｂのユーザＩＤを送信する（Ｓ１１）。
【００２５】
本発明の親機は以上のように動作するので、中継機が不応答の場合、センターでは不応答の中継機のデータを記憶している他の中継機の有無を容易に知ることができる。これによって、中継機が故障していた場合、中継機を交換するまでの間、他の中継機によって故障している中継機に登録されている子機との通信を行うことができ、中継機交換時には、故障している中継機のデータを記憶している他の中継機のユーザＩＤが判っているので、交換作業が簡単に行える。
センターは親機４より受信した電文３６により、中継機６ａが不応答で、中継機６ａの登録データを記憶している中継機が中継機６ｂで有ることを知ると、親機４に対して中継機変更電文３７を送信する。
中継機変更電文３７を受信した親機４の制御部１０は（Ｓ１２）、相手局ＩＤ記憶部１３を参照し中継機６ａの登録データを持つ他の中継機６ｂを検索する（Ｓ１３）。親機４の制御部１０は、中継機ａの登録データを持つ他の中継機６ｂを見つけると、中継機６ｂに対して中継機変更電文３８を送信する（Ｓ１４）。
親機４から中継機変更電文３８を受信した中継機６ｂの制御部１０は、他中継機データ記憶部１６に記憶している中継機６ａに登録されている子機７ｂに中継機変更電文３９を送信する（Ｓ１６）。中継機６ｂの制御部１０は、子機７ｂの応答を監視し（Ｓ１７）、応答があった場合、親機４に対して中継機の変更完了を通知する（Ｓ１８）。中継機６ｂの制御部１０は、親機４に対して中継機の変更完了を通知後、他中継機データ記憶部１６に記憶しているデータを参照し、中継機の変更を行っていない子機を検索する（Ｓ１９）。中継機の変更を行っていない子機７ｃがあった場合、同様に子機７ｃに対して中継機を行う。Ｓ１７で子機７ｂから応答がない場合Ｓ１９に進み、子機７ｂとの通信を終了し、他に中継機の変更を行っていない子機の検索を行う。
【００２６】
以上のように本発明の一実施例である無線テレメータシステムは動作するので、中継機が故障等で応答しなくなった場合でも、他の中継機を使用してセンターから子機を呼び出したり、ガス漏れ等の緊急事態が発生した場合に、子機からセンターに通報することができる。
なお、本発明は、一実施例として無線テレメータシステムについて説明したが、端末装置からセンター側装置に異常事態を通報するセキュリティシステム等の無線データ通信システムに適用可能なものである。
【図面の簡単な説明】
【００２７】
【図１】本発明の無線テレメータシステムにおける、一実施例の形態を示すシステム構成図である。
【図２】本発明の無線テレメータシステムにおける、親機および子機の構成を示すブロック図である。
【図３】本発明の無線テレメータシステムにおける、中継機の構成を示すブロック図である。
【図４】本発明の無線テレメータシステムにおける、親機、中継機および子機の自局ＩＤ記憶部の構成を示すブロック図である。
【図５】本発明の無線テレメータシステムの自局ＩＤ記憶部における、ユーザＩＤ記憶部の構成を示すブロック図である。
【図６】本発明の無線テレメータシステムの親機における、相手局ＩＤ記憶部の構成を示すブロック図である。
【図７】本発明の無線テレメータシステムの中継機における、ユーザＩＤ記憶部の構成を示すブロック図である。
【図８】本発明の無線テレメータシステムの中継機における、他中継機データ記憶部の構成を示すブロック図である。
【図９】本発明の無線テレメータシステムの子機における、相手局ＩＤ記憶部の構成を示すブロック図である。
【図１０】本発明の無線テレメータシステムにおいて使用する電文例である。
【図１１】本発明の無線テレメータシステムの中継機における、登録スイッチが押下された場合の、動作を示すフローチャートである。
【図１２】本発明の無線テレメータシステムの親機における、中継機が不応答であった場合の、動作を示すフローチャートである。
【図１３】本発明の無線テレメータシステムの親機における、中継機変更指示があった場合の、動作を示すフローチャートである。
【図１４】本発明の無線テレメータシステムの中継機における、中継機変更指示があった場合の、動作を示すフローチャートである。
【符号の説明】
【００２８】
１              ホストコンピュータ
２            センター側網制御装置
３              Ｔ−ＮＣＵ
４              無線親機
５ａ〜５ｇ      メータ
６ａ〜６ｂ      無線中継機
７              無線子機
８              アンテナ
９              無線通信ユニット
１０            制御部
１１            メータインターフェース部
１２            自局ＩＤ記憶部
１３            相手局ＩＤ記憶部
１４            スイッチ部
１５            表示部
１６            他中継機データ記憶部
１７            識別符号記憶部
１８            ユーザＩＤ記憶部
１９            ユーザＩＤ部
２０            中継機フラグ部
２１            識別符号記憶部
２２            ユーザＩＤ記憶部
２３            中継機ユーザＩＤ記憶部
２４            テーブルＮｏ．
２５            識別符号記憶部
２６            ユーザＩＤ記憶部
２７            テーブルＮｏ．
２８            識別符号記憶部
２９            ユーザＩＤ記憶部
３０            識別符号記憶部
３１            ユーザＩＤ記憶部
３２            相手局登録電文
３３            相手局登録応答電文
３４            相手局登録電文
３５            登録データ送信電文
３６            応答電文
３７            中継機変更電文
３８            中継機変更電文
３９            中継機変更電文
４０            中継機変更完了通知電文
【図１】
2006303943.tif 000003
【図２】
2006303943.tif 000004
【図３】
2006303943.tif 000005
【図４】
2006303943.tif 000006
【図５】
2006303943.tif 000007
【図６】
2006303943.tif 000008
【図７】
2006303943.tif 000009
【図８】
2006303943.tif 000010
【図９】
2006303943.tif 000011
【図１０】
2006303943.tif 000012
【図１１】
2006303943.tif 000013
【図１２】
2006303943.tif 000014
【図１３】
2006303943.tif 000015
【図１４】
2006303943.tif 000016